(57)【要約】【課題】室内の空気中のイオンバランスを調整できるようにすること。【解決手段】木炭粉末を含有した塗料を室内の壁面に塗布または木炭粉末を含有した塗料を表面に塗布した成形体を室内に配設し、前記壁面または成形体を地中に埋設した接地電極に接続して接地電位にすることにより前記室内の空気中のイオンバランスを改善して前記室内空気の環境を改善する工法であって、前記壁面または成形体は、負電位発生装置を介して前記接地電極に接続されることにより解決できる。【選択図】図１
2008291500.tif 000002
【特許請求の範囲】
【請求項１】
木炭粉末を含有した塗料を室内の壁面に塗布または木炭粉末を含有した塗料を表面に塗布した成形体を室内に配設し、前記壁面または成形体を地中に埋設した接地電極に接続して接地電位にすることにより前記室内の空気中のイオンバランスを改善して前記室内空気の環境を改善する工法であって、
前記壁面または成形体は、負電位発生装置を介して前記接地電極に接続されること
を特徴とする室内空気環境改善工法。
【請求項２】
前記負電位発生装置は、分岐ボックスに接続され、
該分岐ボックスは、複数の室内の壁面または成形体と接続されていること
を特徴とする請求項１に記載の室内空気環境改善工法。
【請求項３】
前記負電位発生装置は、０〜５００Ｖの負電位を発生すること
を特徴とする請求項１または２に記載の室内空気環境改善工法。
【発明の詳細な説明】
【技術分野】
【０００１】
本発明は、例えば、室内の壁面や成形体に塗布された木炭粉末を含有した塗料による木炭の効果を享受することで、室内空気環境を改善するための工法に関するものである。
【背景技術】
【０００２】
従来、壁面に塗布された木炭粉末を含有した塗料の効果により室内の空気環境を改善する技術としては、例えば、木炭粉末を含有した塗料を室内の壁面に塗布して室内の環境を改善する方法であって、前記室内の床面を絶縁体で形成し、前記壁面を地中に埋設した接地電極に接続して接地電位にする室内環境改善方法がある（特許文献１参照）。
【０００３】
また、木炭粉末を含有した塗料を塗布した成形体により空気環境を改善する技術としては、例えば、表面に木炭粉末を含有した塗料を塗布した成形体を用いて周囲の環境を改善する方法であって、該木炭粉末を含有した塗料を塗布した面に外的要因を付与することにより周囲の雰囲気中のプラスイオンを前記木炭粉末を含有した塗料を塗布した面に吸着させマイナスイオンの多い環境にする環境改善方法がある（特許文献２参照）。
【０００４】
【特許文献１】特開２００４−２４４８３７号公報
【特許文献２】特開２００５−２３０６４６号公報
【発明の開示】
【発明が解決しようとする課題】
【０００５】
本発明においては、前記特許文献１及び２の技術を利用すると共に、室内の空気中のイオンバランスを調整できるようにするということに解決しなければならない課題を有している。更には、複数の室内の空気中のイオンバランスを調整できるようにするということも目的とするものである。
【課題を解決するための手段】
【０００６】
上記した従来例の課題を解決する具体的手段として本発明に係る室内空気環境改善工法は、木炭粉末を含有した塗料を室内の壁面に塗布または木炭粉末を含有した塗料を表面に塗布した成形体を室内に配設し、前記壁面または成形体を地中に埋設した接地電極に接続して接地電位にすることにより前記室内の空気中のイオンバランスを改善して前記室内空気の環境を改善する工法であって、前記壁面または成形体は、負電位発生装置を介して前記接地電極に接続されることを最も主要な特徴とする。
【０００７】
この発明において、前記負電位発生装置は、分岐ボックスに接続され、該分岐ボックスは、複数の室内の壁面または成形体と接続されていること；前記負電位発生装置は、０〜５００Ｖの負電位を発生すること；を付加的な要件として含むものである。
【発明の効果】
【０００８】
本発明に係る室内空気環境改善工法は、木炭粉末を含有した塗料を室内の壁面に塗布または木炭粉末を含有した塗料を表面に塗布した成形体を室内に配設し、前記壁面または成形体を地中に埋設した接地電極に接続して接地電位にすることにより前記室内の空気中のイオンバランスを改善して前記室内空気の環境を改善する工法であって、前記壁面または成形体は、負電位発生装置を介して前記接地電極に接続されるようにしたことにより、室内の空気中のイオンバランスを調整できるようになるという優れた効果を奏する。
更に、前記負電位発生装置が分岐ボックスに接続され、該分岐ボックスが複数の室内の壁面または成形体と接続するようにすることにより、これら室内の空気中のイオンバランスを容易且つ同時に調整できるようになるという優れた効果を奏する。
【発明を実施するための最良の形態】
【０００９】
本発明に係る室内空気環境改善工法は、木炭粉末を含有した塗料を室内の壁面に塗布または木炭粉末を含有した塗料を表面に塗布した成形体を室内に配設し、前記壁面または成形体を地中に埋設した接地電極に接続して接地電位にすることにより前記室内の空気中のイオンバランスを改善して前記室内空気の環境を改善する工法であって、前記壁面または成形体は、負電位発生装置を介して前記接地電極に接続されるようにし、前記負電位発生装置を分岐ボックスに接続して、該分岐ボックスを介して複数の室内の壁面または成形体と接続し、また前記負電位発生装置の負電位を０〜５００Ｖにするものである。
【実施例１】
【００１０】
次に、本発明を具体的な実施例に基づいて説明する。
本発明に係る具体的な実施例として、図１に、実施例１の室内空気環境改善工法を説明するための概略図を示してある。この図１においては、室内空気環境改善工法を施した家屋１の例を用いて説明する。
【００１１】
家屋１の室内２の壁面３には、図示していない木炭粉末を含有した塗料が塗布されている。この壁面３としては、例えば、天井面を含んでも良い。また、室内２の壁面３に木炭粉末を含有した塗料を塗布することに換え、木炭粉末を含有した塗料を表面に塗布した成形体４を前記室内２に配設させるだけでも良く、更に、これらを併用しても良い。この成形体４としては、例えば、パーテーション等を用いることができる。なお、以下の説明においては、壁面３に塗布された木炭粉末を含有した塗料の効果と、成形体４の表面に塗布された木炭粉末を含有した塗料の効果とがほぼ同様であり記載内容が重複するため、壁面３に木炭粉末を含有した塗料を塗布した場合についてのみ説明し、成形体４を用いる場合については省略する。
【００１２】
この木炭粉末を含有した塗料としては、木炭粉末を含有した塗料であればいずれのものを使用しても良いが、特に、特許第３１３３９６２号公報に開示された技術であるナイロン（登録商標）６と、ナイロン（登録商標）６６と、ナイロン（登録商標）１２と、ナイロン（登録商標）６１０とからなる高融点型ナイロン（登録商標）樹脂、ナイロン（登録商標）６と、ナイロン（登録商標）６６と、ナイロン（登録商標）１２とからなる低融点型ナイロン（登録商標）樹脂またはナイロン（登録商標）６と、ナイロン（登録商標）６６と、ナイロン（登録商標）１２とからなる高融点型ナイロン（登録商標）樹脂と、これらのナイロン（登録商標）樹脂の溶剤と、木炭粉末とを含有した塗料組成物である、ヘルスコート（登録商標：アーテック工房（株）社製）等の木炭粉末を含有した塗料を使用することが好ましい。
【００１３】
前記木炭粉末を含有した塗料が塗布された室内２の壁面３には、例えば、電線等からなる導体５が接続されている。この導体５は、壁面３に直接的に接続させても良いが、例えば、図示していない銅板等からなる室内壁面接続用のプレート等を介して壁面３に接続させるようにしても良い。
【００１４】
前記導体５は、負電位発生装置６を介して地中に埋設された接地電極７に接続されている。この接地電極７としては、例えば、板状または棒状等の金属を用いても良いが、特開２００４−２４４８３７号公報に開示された接地電極装置、即ち、金属製の有底筒体内に木炭と触媒とを収納した接地電極装置を用いることが好ましい。
【００１５】
また、前記負電位発生装置６としては、例えば、電池等を用いても良いが、図２に示した負電位発生回路を有する負電位発生装置を用いることが好ましい。この負電位発生装置６においては、０〜５００Ｖの負電位を発生することができるものであり、該電圧の範囲で可変できるようにしても良い。
【００１６】
この負電位発生装置６の接続方法においては、木炭粉末を含有した塗料が塗布された室内２の壁面３に負電位が印加されるようにするため、負電位発生装置６の負極側（マイナス端子）と前記壁面３とを接続し、陽極側（プラス端子）と接地電極７とを接続するものである。
【００１７】
このように、木炭粉末を含有した塗料を塗布した室内２の壁面３を、負電位発生装置６を介して接地電極７に接続することにより、木炭粉末を含有した塗料中に電流が通電され、前記室内２中のプラスイオンが、木炭粉末を含有した塗料が塗布された前記壁面３（木炭）に吸着されて減少することで、マイナスイオンの多い環境にすることができるようになり、この作用によって前記室内２の空気中のイオンバランスが改善されて、前記室内２空気の環境が改善されるようになると共に、木炭粉末の電気的なバランスが調整されて木炭の効果が長期間維持されるようになるのである。
【実施例２】
【００１８】
図３に、実施例２の室内空気環境改善工法における導体５の配線の状態を説明するための概略図を示してある。なお、この実施例２においては、前記実施例１が一部屋の室内２を対象とすることに対し、集合住宅（アパートメント等）またはオフィスビル等の複数の各戸（室内２ａ、２ｂ・・・２ｘ）を有する建物を対象とすることができる技術である、即ち、木炭粉末を含有した塗料が塗布された複数の室内２の壁面３とそれぞれ接続されている導体５が負電位発生装置６を介して接地電極７に接続されることによって、これら負電位発生装置６と接地電極７とが前記複数の室内２の壁面３に共用されているということで異なる以外のその他の構成については、前記実施例１と同様であるため、省略する。
【００１９】
地中に埋設された接地電極７は、負電位発生装置６を介して各戸分岐ボックス８に接続されている。また、集合住宅またはオフィスビル等に設けられたそれぞれの部屋には、各部屋分岐ボックス９ａ、９ｂ・・・９ｘが設けられており、該各部屋分岐ボックス９ａ、９ｂ・・・９ｘと各戸分岐ボックス８とは、例えば、同軸ケーブル等の導体５によって接続されている。これら各戸分岐ボックス８と各部屋分岐ボックス９ａ、９ｂ・・・９ｘとは、必ずしも別々に設けなければならないというものではなく、一つの分岐ボックスで各戸または各部屋とそれぞれ接続させるようにしても良い。
【００２０】
また、複数の室内２の壁面には、それぞれ木炭粉末を含有した塗料が塗布されており、これら各部屋の壁面と前記各部屋分岐ボックス９ａ、９ｂ・・・９ｘとは、導体５が接続されている。そして、各戸毎が複数の部屋を有するような場合には、前記各部屋分岐ボックス９ａ、９ｂ・・・９ｘと各部屋の室内２の壁面とを導体５によりそれぞれ接続する、例えば、各部屋分岐ボックス９ａと室内２ａａとを主配線５ａａにより接続し、各部屋分岐ボックス９ａと室内２ａｂとを予備配線５ａｂにより接続し・・・というように接続することによって、負電位発生装置６を介して接地電極７に接続された室内２の壁面のそれぞれにおいて、該壁面に塗布された木炭塗料（木炭）の効果を享受できる、つまり、複数の室内の空気中のイオンバランスを容易且つ同時に調整できるようになるのである。
【図面の簡単な説明】
【００２１】
【図１】本発明の実施の形態に係る実施例１における室内空気環境改善工法を説明するための概略図である。
【図２】同実施例１に用いる負電位発生装置の回路図の一例である。
【図３】本発明の実施の形態に係る実施例２の室内空気環境改善工法における導体の配線の状態を説明するための概略図である。
【符号の説明】
【００２２】
１  家屋
２  室内
３  壁面
４  成形体
５  導体
６  負電位発生装置
７  接地電極
８  各戸分岐ボックス
９ａ、９ｂ・・・９ｘ  各部屋分岐ボックス
【図１】
2008291500.tif 000003
【図２】
2008291500.tif 000004
【図３】
2008291500.tif 000005